(57)【要約】【課題】簡単な構成でフィラメント擬似発光を実現することができるＬＥＤモジュールを提供すること。【解決手段】立設された左右一対のリードフレーム３の先端内面にＬＥＤ素子４を対向させてそれぞれ実装し、両ＬＥＤ素子４を、左右一対の前記リードフレーム３の先端部間に架設された円柱状の導光体５でモールドし、該導光体５の外表面全体にシボ加工を施してＬＥＤモジュール１を構成する。或いは、立設された左右一対のリードフレーム３の先端内面にＬＥＤ素子４を対向させてそれぞれ実装し、両ＬＥＤ素子４を、左右一対の前記リードフレーム３の先端部間に架設された導光体５でモールドし、該導光体５を、左右両端部の大径円柱部５Ａと中央部の小径円柱部５Ｂとを左右の円錐台状のテーパ部５Ｃでそれぞれ繋げた形状に一体成形してＬＥＤモジュール１’を構成する。【選択図】図１
2016127171.tif 000002
【特許請求の範囲】
【請求項１】
立設された左右一対のリードフレームの先端内面にＬＥＤ素子を対向させてそれぞれ実装し、両ＬＥＤ素子を、左右一対の前記リードフレームの先端部間に架設された円柱状の導光体でモールドし、該導光体の外表面全体にシボ加工を施して構成されることを特徴とするＬＥＤモジュール。
【請求項２】
立設された左右一対のリードフレームの先端内面にＬＥＤ素子を対向させてそれぞれ実装し、両ＬＥＤ素子を、左右一対の前記リードフレームの先端部間に架設された導光体でモールドし、該導光体を、左右両端部の大径円柱部と中央部の小径円柱部とを左右の円錐台状のテーパ部でそれぞれ繋げた形状に一体成形して構成されることを特徴とするＬＥＤモジュール。
【発明の詳細な説明】
【技術分野】
【０００１】
本発明は、円周上の全方向に向けて光を照射するフィラメント擬似発光タイプのＬＥＤモジュールに関するものである。
【背景技術】
【０００２】
例えば、白熱電球の光源モジュール１０１を図７に示すが、白熱電球の光源モジュール１０１は、ガラス製のステム１０２に立設された左右一対のリードフレーム１０３の先端に、タングステンワイヤーをコイル状に巻回して成るフィラメント１０４を架設することによって構成されている。尚、白熱電球は、光源モジュール１０１をガラス製のバルブによって密閉して構成されている。
【０００３】
斯かる光源モジュール１０１において、不図示の電源からリードフレーム１０３を介してフィラメント１０４に電流が供給されると、フィラメント１０４が発光し、その光は、円周上の全方向に向けて照射される。
【０００４】
ところで、近年、光源として発光効率が高くて長寿命、且つ、省電力であるＬＥＤ（発光ダイオード）が使用されつつあり、従来のフィラメントに代えてＬＥＤを用いたＬＥＤ電球が出現しているが、ＬＥＤから出射される光は指向性が強いため、フィラメントを用いた白熱電球のように円周上の全方向に向けて光を照射させることができないという問題がある。
【０００５】
そこで、特許文献１には、図８に示すような発光装置２０１が提案されている。
【０００６】
即ち、図８は特許文献１において提案された発光装置２０１の断面図であり、図示の発光装置２０１は、複数のリード２０２，２０３，２０４をその一部を露出させた状態で第１の樹脂２０５によって一体化した左右の細長い棒状のパッケージ２０６と、前記複数のリード２０２〜２０４の何れかの上に固定されたＬＥＤ素子２０７と、該ＬＥＤ素子２０７を封止する第２の樹脂２０８を備えて構成されている。ここで、前記第１の樹脂２０５と第２の樹脂２０８は、光透過性樹脂であって、これらの第１の樹脂２０５と第２の樹脂２０８を導光体として機能させることによって、裏面方向からの光の取り出しを多くして当該発光装置２０１の広指向性を実現している。
【先行技術文献】
【特許文献】
【０００７】
【特許文献１】特開２００９−１７０７５９号公報
【発明の概要】
【発明が解決しようとする課題】
【０００８】
しかしながら、特許文献１において提案された発光装置２０１は、複数のリード２０２〜２０４を第１の樹脂２０５と第２の樹脂２０８によって挟み込む構造を採用するため、構造が複雑であり、フィラメントの代替光源として使用することができないという問題がある。
【０００９】
本発明は上記問題に鑑みてなされたもので、その目的とする処は、簡単な構成でフィラメント擬似発光を実現することができるＬＥＤモジュールを提供することにある。
【課題を解決するための手段】
【００１０】
上記目的を達成するため、請求項１記載の発明は、立設された左右一対のリードフレームの先端内面にＬＥＤ素子を対向させてそれぞれ実装し、両ＬＥＤ素子を、左右一対の前記リードフレームの先端部間に架設された円柱状の導光体でモールドし、該導光体の外表面全体にシボ加工を施してＬＥＤモジュールを構成することを特徴とする。
【００１１】
請求項２記載の発明は、立設された左右一対のリードフレームの先端内面にＬＥＤ素子を対向させてそれぞれ実装し、両ＬＥＤ素子を、左右一対の前記リードフレームの先端部間に架設された導光体でモールドし、該導光体を、左右両端部の大径円柱部と中央部の小径円柱部とを左右の円錐台状のテーパ部でそれぞれ繋げた形状に一体成形してＬＥＤモジュールを構成することを特徴とする。
【発明の効果】
【００１２】
請求項１記載の第１発明によれば、ＬＥＤモジュールの相対向するＬＥＤ素子から出射する光は、導光体の内部を全反射しながら長手方向に沿って互いに逆方向に進む過程で、該導光体の外表面全体に施されたシボによって拡散して円周上の全方向に向けて出射する。このため、導光体の全体が均一に発光し、簡単な構成でフィラメント擬似発光が実現し、当該ＬＥＤモジュールをフィラメントの代替光源として使用することができる。
【００１３】
請求項２記載の第２発明によれば、ＬＥＤモジュールの相対向するＬＥＤ素子から出射する光は、導光体の内部を長手方向に沿って互いに逆方向に進む過程で、該導光体のテーパ部の内面で円周上の全方向に向かって反射して導光体の外部へと出射する。このため、導光体の全体が均一に発光し、簡単な構成でフィラメント擬似発光が実現し、当該ＬＥＤモジュールをフィラメントの代替光源として使用することができる。
【図面の簡単な説明】
【００１４】
【図１】第１発明に係るＬＥＤモジュールの正面図である。
【図２】第１発明に係るＬＥＤモジュール要部の斜視図である。
【図３】図２のＡ部拡大詳細図である。
【図４】第１発明に係るＬＥＤモジュールの照度分布図である。
【図５】第２発明に係るＬＥＤモジュールの正面図である。
【図６】第２発明に係るＬＥＤモジュールの光線図である。
【図７】フィラメントを用いた白熱電球の構成を示す正面図である。
【図８】特許文献１において提案された発光装置の断面図である。
【発明を実施するための形態】
【００１５】
以下に本発明の実施の形態を添付図面に基づいて説明する。
【００１６】
［第１発明］
図１は第１発明に係るＬＥＤモジュールの正面図、図２は同ＬＥＤモジュール要部の斜視図、図３は図２のＡ部拡大詳細図であり、図示のＬＥＤモジュール１は、ガラス製のステム２に立設された左右一対のリードフレーム３の先端内面にＬＥＤ素子４を対向させてそれぞれ実装し、両ＬＥＤ素子４を、左右一対の前記リードフレーム３の先端部間に架設された円柱状の導光体５でモールドし、該導光体５の外表面全体にシボ加工を施して構成されている。尚、このＬＥＤモジュール１をガラス製の不図示のバルブで密閉することによってＬＥＤ電球を構成することができる。
【００１７】
上記リードフレーム３は、銅製の棒状部材であって、図２及び図３に示すように、＋極側の細いフレーム３Ａと、−極側の太いフレーム３Ｂとで構成されており、両フレーム３Ａ，３Ｂの各内面には銅メッキが施され、この銅メッキの上には銀メッキが施されている。そして、図３に示すように、太いフレーム３Ｂの上端部の内面には前記ＬＥＤ素子４が実装されており、ＬＥＤ素子４と＋極側の細いフレーム３ＡとはＡｕワイヤー６によって電気的に接続されている。尚、左右一対のＬＥＤ素子４は、図７に示す光源モジュール１０１のフィラメント１０４のコイル中心軸上に、その光軸が一致するように互いに対向して配置されている。
【００１８】
前記導光体５は、透明なエポキシ系樹脂によって構成されており、その外径は、図７に示す光源モジュール１０１のフィラメント１０４のコイル外径に略等しく設定されている。そして、本実施の形態では、導光体５の外表面全体には光拡散用のシボ加工が施されている。
【００１９】
以上のように構成されたＬＥＤモジュール１において、不図示の電源から左右一対のリードフレーム３を経て左右の各ＬＥＤ素子４に電流が供給されると、各ＬＥＤ素子４が発光し、その光は、導光体５の内部を全反射しながら長手方向に沿って互いに逆方向に進む過程で、該導光体５の外表面全体に施されたシボによって拡散して円周上の全方向に向けて出射する。このため、導光体５の全体が均一に発光し、簡単な構成でフィラメント擬似発光が実現し、当該ＬＥＤモジュール１をフィラメントの代替光源として使用することができる。
【００２０】
ここで、本発明に係るＬＥＤモジュール１の照度分布を図４に示すが、左右のＬＥＤ素子４から出射する光が重なる導光体５の中央部の照度が高くなるものの、導光体５の全長に亘って略均一な照度分布が得られるために、図７に示すフィラメント１０４によって得られるものと同等の照度分布が得られる。尚、図４において、横軸は導光体５の長手方向中心からの中心軸上距離（ｍｍ）であり、縦軸は照度（％）である。
【００２１】
[第２発明」
次に、第２発明の実施の形態を図５及び図６に基づいて説明する。
【００２２】
図５は第２発明に係るＬＥＤモジュールの正面図、図６は同ＬＥＤモジュールの光線図であり、これらの図においては図１〜図３において示したものと同じ要素には同一符号を付しており、以下、それらについての再度の説明は省略する。
【００２３】
本発明に係るＬＥＤモジュール１’においては、左右一対のＬＥＤ素子４をモールドする導光体５を、左右両端部の大径円柱部５Ａと中央部の小径円柱部５Ｂとを左右の円錐台状のテーパ部５Ｃでそれぞれ繋げた形状に一体成形したことを特徴としている。ここで、導光体５は、前記第１発明と同様に透明なエポキシ系樹脂によって構成されているが、前記第１発明とは異なり、その外表面にシボ加工は施されていない。
【００２４】
而して、本発明に係るＬＥＤモジュール１’においては、図６に示すように、相対向する左右のＬＥＤ素子４から出射する光は、導光体５の内部を長手方向に沿って互いに逆方向に進む過程で、該導光体５の左右のテーパ部５Ｃの内面で円周上の全方向に向かって反射して導光体５の外部へと出射する。このため、導光体５の全体が均一に発光し、簡単な構成でフィラメント擬似発光が実現し、当該ＬＥＤモジュール１’をフィラメントの代替光源として使用することができる。
【００２５】
ところで、第１発明に係るＬＥＤモジュール１においては、導光体５の外表面に施されたシボ加工のために光の取り出し効率が低下するが、本発明に係るＬＥＤモジュール１’においては光の取り出し効率の低下が発生しない。
【符号の説明】
【００２６】
１，１’  ＬＥＤモジュール
２        ステム
３        リードフレーム
４        ＬＥＤ素子
５        導光体
５Ａ      導光体の大径円柱部
５Ｂ      導光体の小径円柱部
５Ｃ      導光体のテーパ部
６        Ａｕワイヤー
【図１】
2016127171.tif 000003
【図２】
2016127171.tif 000004
【図３】
2016127171.tif 000005
【図４】
2016127171.tif 000006
【図５】
2016127171.tif 000007
【図６】
2016127171.tif 000008
【図７】
2016127171.tif 000009
【図８】
2016127171.tif 000010